(57)【要約】【課題】フィルムや写真プリントなどの読み取り対象物から画像情報を読み取って取得した複数の画像データの中から所望の画像データを容易に選択できるようにする画像読み取り装置及び画像情報の読み取り方法の提供。【解決手段】フィルムや写真プリントなどの読み取り対象物２から画像情報を読み取って画像データを出力する画像読み取り装置１に、画像データに関連付ける付帯情報を設定するためのボタンやスイッチなどの指示手段３と、画像情報と付帯情報とに基づいて、付帯情報が付加された画像データ、又は、画像データと該画像データに対応付けられた付帯データとを生成するデータ生成手段と、を少なくとも設け、付帯情報を用いて所望の画像データを特定できるようにして、読み取り対象物２から読み取って取得した複数の画像データの中から所望の画像データを容易に選択できるようにする。【選択図】図１
2007189645.tif 000002
【特許請求の範囲】
【請求項１】
読み取り対象物に記録された画像情報を読み取って画像データを出力する画像読み取り装置において、
前記画像データに関連付ける付帯情報を設定するための指示手段と、
読み取った前記画像情報と設定された前記付帯情報とに基づいて、前記付帯情報が付加された画像データを生成する手段と、を少なくとも備えることを特徴とする画像読み取り装置。
【請求項２】
読み取り対象物に記録された画像情報を読み取って画像データを出力する画像読み取り装置において、
前記画像データに関連付ける付帯情報を設定するための指示手段と、
読み取った前記画像情報と設定された前記付帯情報とに基づいて、前記画像情報が記録された画像データと、前記付帯情報が記録され、前記画像データに対応付けられた付帯データとを生成する手段と、を少なくとも備えることを特徴とする画像読み取り装置。
【請求項３】
前記指示手段は、前記付帯情報の内容を選択するための手段と、前記付帯情報を付加するか否かを選択するための手段とで構成されることを特徴とする請求項１又は２に記載の画像読み取り装置。
【請求項４】
前記付帯情報とは、前記画像データが特定の画像データであることを示す情報、前記画像データのレベルを特定する情報、前記画像データの属するイベントを特定する情報、前記画像データの撮影時期を特定する情報のいずれか１つを含むことを特徴とする請求項１乃至３のいずれか一に記載の画像読み取り装置。
【請求項５】
読み取り対象物に記録された画像情報を読み取って画像データを出力する画像読み取り装置を用いた前記画像情報の読み取り方法において、
前記画像読み取り装置に予め設けられた指示手段を操作して、前記画像データに関連付ける付帯情報を設定する第１のステップと、
前記読み取り対象物から前記画像情報を読み取る第２のステップと、
読み取った前記画像情報と設定した前記付帯情報とに基づいて、前記付帯情報が付加された画像データを生成する第３のステップと、を少なくとも有することを特徴とする画像情報の読み取り方法。
【請求項６】
読み取り対象物に記録された画像情報を読み取って画像データを出力する画像読み取り装置を用いた前記画像情報の読み取り方法において、
前記画像読み取り装置に予め設けられた指示手段を操作して、前記画像データに関連付ける付帯情報を設定する第１のステップと、
前記読み取り対象物から前記画像情報を読み取る第２のステップと、
読み取った前記画像情報と設定した前記付帯情報とに基づいて、前記画像情報が記録された画像データと、前記付帯情報が記録され、前記画像データに対応付けられた付帯データとを生成する第３のステップと、を少なくとも有することを特徴とする画像情報の読み取り方法。
【請求項７】
前記第１のステップでは、前記付帯情報を付加する回数又は順番を指定し、
前記第３のステップでは、指定された回数又は順番の読み取りに対して、前記画像データ、又は、前記画像データ及び前記付帯データを生成することを特徴とする請求項５又は６に記載の画像情報の読み取り方法。
【請求項８】
前記付帯情報とは、前記画像データが特定の画像データであることを示す情報、前記画像データのレベルを特定する情報、前記画像データの属するイベントを特定する情報、前記画像データの撮影時期を特定する情報のいずれか１つを含むことを特徴とする請求項５乃至７のいずれか一に記載の画像情報の読み取り方法。
【発明の詳細な説明】
【技術分野】
【０００１】
本発明は、画像読み取り装置及び画像情報の読み取り方法に関し、特に、写真プリントやフィルムなどから画像情報を読み取る画像読み取り装置及び画像情報の読み取り方法に関する。
【背景技術】
【０００２】
近年、写真画像に関する様々なサービスが提供されている。例えば、ミニラボ等の写真店に撮影済みのフィルムや写真プリントを持ち込むと、写真店では、フィルムを現像した後スキャナ等の画像読み取り装置を用いて現像済みのフィルムや写真プリントから画像データを読み取り、読み取った画像データをＣＤ−Ｒ、ＤＶＤ−Ｒ等の記録媒体に書き込むサービスを行っている（例えば、下記特許文献１参照）。
【０００３】
また、フィルムや写真プリントなどから読み取った画像データを用いて、ＤＶＤプレーヤやＤＶＤレコーダ、ゲーム機のような家電機器でスライドショーを再生するためのＶｉｄｅｏ−ＣＤ形式やＤＶＤ−Ｖｉｄｅｏ形式のデータ（以下、家電機器で再生するためのスライドショー用のデータを家電機器用データと呼ぶ。）を生成し、読み取った画像データやアプリケーションと共に生成した家電機器用データをＣＤ−Ｒ、ＤＶＤ−Ｒなどの記録媒体に書き込むサービスも行っている。
【０００４】
一方、演算処理機能を備えた画像読み取り装置も普及しており、この画像読み取り装置を用いれば、写真店に出向かなくても、フィルムや写真プリントなどから画像情報を読み取って画像データとして出力することができ、画像読み取り装置に設けられた書き込み手段や外部の書き込み手段を用いて、画像データをＣＤ−Ｒ、ＤＶＤ−Ｒなどの記録媒体に書き込むこともできる。
【０００５】
【特許文献１】特開２００５−１０５６５号公報（第５−１１頁、第１図）
【発明の開示】
【発明が解決しようとする課題】
【０００６】
ここで、上記画像読み取り装置を用いて画像データを取得する場合、画像読み取り装置では単にフィルムや写真プリントなどの読み取り対象物から画像情報を読み取り、読み取った画像情報から予め定められた形式の画像データを生成するだけであるため、複数の読み取り対象物から画像情報を読み取った場合に、生成された複数の画像データと該画像データの元となる読み取り対象物とは画像データのファイル名でしか対応付けることができない。
【０００７】
従って、画像データと読み取り対象物とを対応付けるためには、読み取りの都度、出力される画像データのファイル名と読み取り対象物とを対応付け、その対応関係を紙などに記録しておかなければならず、操作が煩雑であると共に、複数の画像データの中から所望の画像データを簡単に選択することができないという問題がある。特に、読み取り後、時間が経過している場合には、元となる読み取り対象物がない場合が多く、そのような場合には対応付けを行うことすらできない。
【０００８】
そのため、例えば、複数の画像データの中の所望の画像データを用いて電子アルバムを作成したり、所望の画像データを用いてスライドショーを作成するなどの処理を行う場合には、画像読み取り装置で生成した複数の画像データをパーソナルコンピュータなどのコンピュータ機器に移し、コンピュータ機器で画像を表示して所望の画像データを選択した後、電子アルバムやスライドショーを作成しなければならず、操作が煩雑であると共に、演算処理機能を備えた画像読み取り装置を有効に利用することができない。
【０００９】
本発明は、上記問題点に鑑みてなされたものであって、その主たる目的は、フィルムや写真プリントなどの読み取り対象物から画像情報を読み取って取得した複数の画像データの中から所望の画像データを容易に選択できるようにする画像読み取り装置及び画像情報の読み取り方法を提供することにある。
【課題を解決するための手段】
【００１０】
読み取り対象物に記録された画像情報を読み取って画像データを出力する画像読み取り装置において、前記画像データに関連付ける付帯情報を設定するための指示手段と、読み取った前記画像情報と設定された前記付帯情報とに基づいて、前記付帯情報が付加された画像データを生成する手段と、を少なくとも備えるものである。
【００１１】
また、本発明は、読み取り対象物に記録された画像情報を読み取って画像データを出力する画像読み取り装置において、前記画像データに関連付ける付帯情報を設定するための指示手段と、読み取った前記画像情報と設定された前記付帯情報とに基づいて、前記画像情報が記録された画像データと、前記付帯情報が記録され、前記画像データに対応付けられた付帯データとを生成する手段と、を少なくとも備えるものである。
【００１２】
本発明においては、前記指示手段は、前記付帯情報の内容を選択するための手段と、前記付帯情報を付加するか否かを選択するための手段とで構成することができる。
【００１３】
また、本発明においては、前記付帯情報とは、前記画像データが特定の画像データであることを示す情報、前記画像データのレベルを特定する情報、前記画像データの属するイベントを特定する情報、前記画像データの撮影時期を特定する情報のいずれか１つを含むことが好ましい。
【００１４】
また、本発明は、読み取り対象物に記録された画像情報を読み取って画像データを出力する画像読み取り装置を用いた前記画像情報の読み取り方法において、前記画像読み取り装置に予め設けられた指示手段を操作して、前記画像データに関連付ける付帯情報を設定する第１のステップと、前記読み取り対象物から前記画像情報を読み取る第２のステップと、読み取った前記画像情報と設定した前記付帯情報とに基づいて、前記付帯情報が付加された画像データを生成する第３のステップと、を少なくとも有するものである。
【００１５】
また、本発明は、読み取り対象物に記録された画像情報を読み取って画像データを出力する画像読み取り装置を用いた前記画像情報の読み取り方法において、前記画像読み取り装置に予め設けられた指示手段を操作して、前記画像データに関連付ける付帯情報を設定する第１のステップと、前記読み取り対象物から前記画像情報を読み取る第２のステップと、読み取った前記画像情報と設定した前記付帯情報とに基づいて、前記画像情報が記録された画像データと、前記付帯情報が記録され、前記画像データに対応付けられた付帯データとを生成する第３のステップと、を少なくとも有するものである。
【００１６】
本発明においては、前記第１のステップでは、前記付帯情報を付加する回数又は順番を指定し、前記第３のステップでは、指定された回数又は順番の読み取りに対して、前記画像データ、又は、前記画像データ及び前記付帯データを生成する構成とすることができる。
【００１７】
このように、本発明によれば、画像読み取り装置に、画像データに関連付ける付帯情報を設定するための指示手段を設け、付帯情報が付加された画像データ、又は、画像データと該画像データに対応付けられた付帯データとを生成するため、付帯情報を利用することによって複数の画像データの中から所望の画像データを容易に選択することができる。
【発明の効果】
【００１８】
本発明の画像読み取り装置及び画像情報の読み取り方法によれば、フィルムや写真プリントなどの読み取り対象物から画像情報を読み取って取得した複数の画像データの中から所望の画像データを容易に選択することができる。
【００１９】
その理由は、フィルムや写真プリントなどの読み取り対象物から画像情報を読み取って画像データを出力する画像読み取り装置に、画像データに関連付ける付帯情報を設定するための指示ボタンなどの指示手段と、画像情報と付帯情報とに基づいて、付帯情報が付加された画像データ、又は、画像データと該画像データに対応付けられた付帯データとを生成するデータ生成手段とを設けているため、付帯情報を利用して所望の画像データを特定することができるからである。
【発明を実施するための最良の形態】
【００２０】
従来技術で示したように、従来の画像読み取り装置は単にフィルムや写真プリントなどの読み取り対象物から画像情報を読み取り、読み取った画像情報から予め定められた形式の画像データを出力するだけであるため、画像データと読み取り対象物とを対応付けることが難しいという問題があった。一方、画像読み取り装置を用いて画像データを取得する場合、通常、読み取り条件などの各種設定を行うため、その設定動作を利用することによって画像データと読み取り対象物との対応付けは可能である。
【００２１】
そこで、本発明では、フィルムや写真プリントなどの読み取り対象物から画像情報を読み取って画像データを出力するスキャナなどの画像読み取り装置に、画像データに関連付ける付帯情報を設定するための指示ボタンなどの指示手段と、画像情報と付帯情報とに基づいて、付帯情報がヘッダ領域などに記述された画像データ、又は、画像データと付帯情報が記録され該画像データに対応付けられた付帯データとを生成するデータ生成手段と、を少なくとも設け、付帯情報を用いて所望の画像データを特定できるようにし、複数の画像データの中から所望の画像データを容易に選択できるようにする。
【実施例】
【００２２】
上記した本発明の一実施の形態についてさらに詳細に説明すべく、本発明の一実施例に係る画像読み取り装置及び画像情報の読み取り方法について、図１乃至図６を参照して説明する。図１及び図２は、本実施例に係る画像読み取り装置の構成を模式的に示す図であり、図３は、画像読み取り装置の主要な手段を示すブロック図である。また、図４は、指示手段のバリエーションを示す図であり、図５は、本実施例の画像情報の読み取り手順を示すフローチャート図である。また、図６は、記録媒体におけるデータの記録構造を示す図である。
【００２３】
図１及び図３に示すように、本実施例の画像読み取り装置１は、現像済みフィルムや写真プリントなどの画像情報が記録された記録物（以下、読み取り対象物２と呼ぶ。）から画像情報を読み取る読み取り手段７と、読み取りに際して、画像データに関連付ける情報（以下、付帯情報と呼ぶ。）の設定を行う指示手段３を含む操作手段１０と、ＲＡＭ、ＲＯＭ、ＨＤＤなどの記憶手段８と、読み取った画像情報と設定された付帯情報とに基づいて、付帯情報がヘッダなどに記述された画像データ、又は画像データと、付帯情報が記録され該画像データに関連付けられた付帯データとを生成するデータ生成手段９と、画像情報や付帯情報などを表示する表示手段１１と、記録媒体装填部４に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体５に、取得した画像データや該画像データに基づいて生成された家電機器用データなどを記録するデータ記録手段１２と、写真プリントなどを印刷する印刷手段１３と、外部の記録装置などとの入出力制御を行うインターフェース（Ｉ／Ｆ）手段１４と、これらを制御するＣＰＵなどの制御手段６などを備えている。
【００２４】
なお、本実施例の画像読み取り装置１には、少なくとも、読み取り手段７と指示手段３とデータ生成手段９とを備えていればよく、他の手段は任意である。また、図１では、フラットベッド型の画像読み取り装置１を示しているが、画像読み取り装置の形態は任意であり、例えば、図２に示すように、プリンタ機能やコピー機能などを備えた複合機としてもよいし、フィルムスキャナのようにフィルムの読み取りに適した装置としてもよいし、ハンディスキャナのように読み取り手段を手で動かして読み取る装置としてもよい。
【００２５】
次に、上記構成の画像読み取り装置１を用いた画像情報の読み取り手順について、図５のフローチャート図を参照して説明する。
【００２６】
まず、ステップＳ１０１で、ユーザは、読み取りを行う読み取り対象物２に対して付帯情報を付加するか否かを判断し、付帯情報を付加する場合には、ステップＳ１０２で、ユーザは、画像読み取り装置１に予め設けられている指示手段３を操作して付帯情報を付加できるように設定する。この付帯情報は、読み取り対象物２から取得した画像データを用いた処理に利用可能な情報であればよく、例えば、該画像データが特定の画像データ（例えば、スライドショーの作成に使用する画像データや特定のフォルダに格納する画像データ、写真プリントの作成に利用する画像データなど）であるか否かを示す情報とすることができ、この付帯情報を付加する場合は指示手段３を押すなどの操作を行う。
【００２７】
なお、指示手段３の形態は任意であり、付帯情報を付加するか否かのみを選択する場合は、押しボタンやタッチ式のボタンなどとすることができ、その際、指示手段３を操作したことが分かるように、指示手段３を操作したら指示手段３が点灯するようにしてもよい。また、指示手段３は、一回押す毎にＯＮ／ＯＦＦが切り替わるボタンとしてもよいし、付帯情報の付加を指示するボタンと指示を解除するボタンとを別々に設けてもよい。
【００２８】
また、この指示手段３による指示は読み取り毎に行ってもよいし、例えば、指示手段３を一旦押すと、再度指示手段３が押されるまで常に付帯情報が付加されるようにしてもよいし、デフォルトで付帯情報を付加するように設定してもよい。また、指示手段３と操作手段１０の数字キーなどとを組み合わせて回数を入力（例えば、数字を入力した後に指示手段３を押すなど）できるようにしておき、入力した回数分（例えば、３回分）の読み取りに対して付帯情報が付加されるようにしてもよいし、所定の番号を入力できるようにしておき、入力した番号に対応する読み取り（例えば、２、５、６番目の読み取り）に対して付帯情報が付加されるようにしてもよい。
【００２９】
また、付帯情報は、特定の画像データであるか否かを示す情報に限らず、例えば、読み取り対象物２から取得された画像データのレベル（例えば、重要度や価値などを段階で示した値）を示す情報としてもよく、その場合は、図４（ａ）に示すように、指示手段３をダイアル式のスイッチにして、付帯情報を付加しない設定（図の”なし”）又は所望のレベル（図の”１”〜”５”）が選択できるようにすることができる。また、図４（ｂ）に示すように、レベルを選択するためのスイッチ（レベル選択スイッチ）とそのレベルの付帯情報を付加するか否かを選択するためのボタン（付加ボタン）とを組み合わせ、付加ボタンを押した場合にレベル選択スイッチで選択されたレベルの値が付帯情報として付加されるようにしてもよい。
【００３０】
また、付帯情報はイベントの種類を示す情報としてもよく、その場合は、図４（ｃ）に示すように、イベント（入学式や夏休みなど）を選択するためのスイッチ（イベント選択スイッチ）と必要に応じて付帯情報を付加するか否かを選択するためのボタン（付加ボタン）とを設ければよい。また、付帯情報は画像の概略の時期（撮影時期など）を示す情報としてもよく、その場合は、図４（ｄ）に示すように、概略の時期（月や月の範囲、季節など、ここでは月）を選択するためのスイッチ（時期選択スイッチ）と必要に応じて付帯情報を付加するか否かを選択するためのボタン（付加ボタン）とを設ければよい。
【００３１】
次に、ステップＳ１０３で、フィルムや写真プリントなどの読み取り対象物２を画像読み取り装置１の読み取り台に載置して、画像読み取り装置１の操作手段１０を操作して読み取りを開始させると、ステップＳ１０４で、読み取り手段７は、読み取り対象物２に記録されている情報を読み取る。
【００３２】
なお、読み取り対象物２はフィルムや写真プリントに限らず、画像やイラストなどが記録された印刷物などとしてもよく、また、読み取る情報は画像情報に限らず、文字情報などの画像を含まない情報であってもよい。また、読み取り方法も特に限定されず、読み取り対象物２を１枚ずつ読み取り台に載置してもよいし、フィーダなどを用いて連続して読み取ってもよいし、読み取り台に複数の読み取り対象物２を載置し、操作手段１０を操作して読み取り領域を指定し、特定の領域の読み取り対象物２を読み取るようにしてもよい。
【００３３】
次に、ステップＳ１０５で、制御手段６は、指示手段３で付帯情報を付加するように設定されているか否かを判断し、付帯情報を付加するように設定されていない場合は、ステップＳ１０７で、データ生成手段９は、読み取った画像情報のみに基づいて画像データを生成する。この画像データの形式は任意であり、例えば、スキャンして得られたままの撮像画像データであるＲＡＷ形式としてもよいし、ｅｘｉｆ（Exchangeable Image File Format）形式やｂｍｐ（Windows（登録商標） Bitmapfile）形式、ｇｉｆ（CompuServe Graphics Interchange Format File）形式、ｔｉｆ（Tagget Image File Format file）形式、ｊｐｅｇ（Joint Photographic Coding Experts Group）形式などに変換してもよい。
【００３４】
一方、付帯情報を付加するように設定されている場合は、ステップＳ１０６で、データ生成手段９は、読み取った画像情報と設定された付帯情報とに基づいて画像データを生成する。具体的には、例えば、画像情報を記録した画像データのヘッダ領域などに付帯情報を記述する。この付帯情報の記述方法や記述場所は任意であり、画像データを利用する装置側で付帯情報を識別可能であればよく、例えば、画像データがｅｘｉｆ形式の場合は、ｅｘｉｆ情報中のユーザコメント欄などに付帯情報（例えば、mark＝１、level＝１、event=”運動会”、month=”October”など）を記述する構成とすることができる。
【００３５】
上記付帯情報は、上述したように画像データのヘッダ領域などに記録してもよいが、例えば、付帯情報を記録した付帯データを生成し、例えば、付帯データのファイル名（拡張子を除く部分）を画像データのファイル名に対応付けたり、画像データのヘッダ領域に対応する付帯データのファイル名を記述するなどして、画像データと付帯データとを対応付けてもよい。また、この付帯データを画像データ毎に生成せずに、複数の画像データに対して付帯情報と画像データとを対応付ける情報を記述したデータ（管理データ）としてもよい。なお、付帯データや管理データの形式は任意であり、テキストファイルとしてもよいし、メタデータとしてもよい。
【００３６】
なお、ここではステップＳ１０２で指示手段３を操作した後、ステップＳ１０４で画像情報の読み取りを行ったが、画像情報の読み取りを先に行い、読み取った画像情報に対して付帯情報を付加したい場合に指示手段３を操作する構成としてもよい。
【００３７】
次に、ステップＳ１０８で、制御手段６は、上記ステップで生成した画像データ（又は画像データと付帯データ、又は画像データと管理データ）をＨＤＤなどの記憶手段８に記憶する。そして、ステップＳ１０９で、ユーザは次の読み取り対象物２を読み取るか否かを判断し、次の読み取り対象物を読み取る場合は、ステップＳ１０１〜Ｓ１０８の処理を繰り返し行う。
【００３８】
ここまでが画像の読み取りに関するステップであるが、画像読み取り装置１に画像データを利用した処理を実行するための手段を備えている場合は、引き続きその処理を実行する。ここでは、画像読み取り装置１に、画像データに基づいてスライドショーデータ（家電機器用データ）を生成する手段（データ生成手段９）と、画像データや家電機器用データを記録媒体５に記録する手段（データ記録手段１２や記録媒体装填部４）を備えているものとして説明する。
【００３９】
まず、ステップＳ１１０で、処理（ここではスライドショーの作成）に利用する画像データを選択する。ここで、本実施例の画像読み取り装置１で生成した画像データには付帯情報がヘッダ情報として又は付帯データとして付加されているため、複数の読み取り対象物２から読み取った画像情報に基づく複数の画像データの中から所望の画像データを選択する際にこの付帯情報を利用することができる。例えば、ユーザが付帯情報を指定すると、制御手段６は、付帯情報を参照して、記憶手段８に記憶された画像データの中から、例えば、マーキングがされている画像データ（mark＝１の画像データ）を選択したり、所定のレベルの画像データ（level＝１〜３の画像データ）を選択したり、所定のイベントの画像データ（event＝”夏休み”の画像データ）を選択したり、所定の時期の画像データ（month＝”July”、”August”の画像データ）を選択する。
【００４０】
次に、ステップＳ１１１で、データ生成手段９は、選択された複数の画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のスライドショーデータ、動画データがＭＰＥＧ１又はＭＰＥＧ２の場合はＤＶＤ−Ｖｉｄｅｏ形式のスライドショーデータ）を生成（オーサリング）する。また、必要に応じて、画像データのファイル名を予め定められたルールに従ってリネームしたり、読み取った画像データのデータサイズを縮小したサムネイル画像データやスクリーンネイル画像データなどの縮小画像データを作成する。
【００４１】
次に、ステップＳ１１２で、記録媒体装填部４に記録媒体５を装填する。この記録媒体５として市販されている任意の記録媒体を用いることができるが、特定の記録媒体に対してのみデータの記録が行われるようにしてもよく、その場合は、ステップＳ１１３で、記録媒体５の所定の領域に該記録媒体５を識別するための識別情報が記録されているかを調べ、識別情報が記録されている場合に特定の記録媒体５と判断することができる。この識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００４２】
次に、データ記録手段１２を用いて記録媒体装填部４に装填された記録媒体５に各種データを記録するが、その際、家電機器ではデータを読み込むことができる記録領域が限定されるため、家電機器用データを記録する場合は、ステップＳ１１４で、生成した家電機器用データを記録媒体５の論理アドレス領域の内周側に書き込み、必要に応じてセッションをクローズした後、ステップＳ１１５で、付帯情報を付加した画像データ（又は画像データと付帯データ、又は画像データと管理データ）や、必要に応じて縮小画像データ、アプリケーションなどのコンピュータ機器用データを記録媒体５の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００４３】
上記手順で作成された記録媒体５のディレクトリ構造は図６（ａ）に示すようになり、画像データの格納場所を示すフォルダ（PS_Rollフォルダ）内に付帯情報が付加された画像データ（又は画像データと付帯データ、又は画像データと管理データ（index.pvm）、ここでは後者の例を示す。）などが記録され、APPLフォルダ内に必要に応じてスライドショープログラムやスライドショーの設定ファイルなどが記録され、これらでコンピュータ機器用データが構成される。また、Ｖｉｄｅｏ−ＣＤ形式のデータを生成した場合は図６（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”CDI”フォルダ内のＴＶ画面に静止画像データを表示するためのアプリケーションなどで家電機器用データ（スライドショーデータ）が構成され、ＤＶＤ−Ｖｉｄｅｏ形式のデータを生成した場合は図６（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データ（スライドショーデータ）が構成される。
【００４４】
上記フォルダ構造やフォルダ名称、ファイル名称などは任意であるが、記録構造を認識しやすくするために、図６に示すように、画像データの格納場所を示すフォルダ（PS_Roll）の下位の階層にフィルム毎のデータの格納場所を示すフォルダを設け、該フォルダの名称を、例えば、ROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としたり、各々の画像データのファイル名をCCYYMMDDxxxxxx（CC：データの種別、YYMMDD：書き込み年月日を特定する数字、xxxxxx：シーケンシャル番号）などとしてもよい。
【００４５】
なお、ステップＳ１１１〜Ｓ１１５ではスライドショーのデータを生成して記録媒体５に記録する場合について示したが、画像データを用いた処理は任意であり、電子アルバムの作成や写真プリントの作成などとしてもよい。
【００４６】
このように、本実施例の画像読み取り装置１には、画像データに付帯情報を付加するための指示手段３が設けられており、指示手段３の指示に従って画像データのヘッダ領域などに付帯情報が記述又は付帯データや管理データが生成されるため、付帯情報を参照して、複数の読み取り対象物２から読み取った画像情報に基づく複数の画像データの中から所望の画像データを選択したり、画像データを分類することができる。
【産業上の利用可能性】
【００４７】
本発明は、読み取り対象物から画像情報を読み取る読み取り手段７を備える任意の装置、及びその装置を用いた画像情報の読み取り方法に対して適用することができる。
【図面の簡単な説明】
【００４８】
【図１】本発明の一実施例に係る画像読み取り装置の構成を模式的に示す図である。
【図２】本発明の一実施例に係る画像読み取り装置の他の構成を示す図である。
【図３】本発明の一実施例に係る画像読み取り装置の構成を示すブロック図である。
【図４】本発明の一実施例に係る画像読み取り装置の指示手段の構成を模式的に示す図である。
【図５】本発明の一実施例に係る画像読み取り装置を用いた画像情報の読み取り手順を示すフローチャート図である。
【図６】本発明の一実施例に係る記録媒体の記録構造を示す図である。
【符号の説明】
【００４９】
１  画像読み取り装置
２  読み取り対象物
３  指示手段
４  記録媒体装填部
５  記録媒体
６  制御手段
７  読み取り手段
８  記憶手段
９  データ生成手段
１０  操作手段
１１  表示手段
１２  データ記録手段
１３  印刷手段
１４  Ｉ／Ｆ手段
【図１】
2007189645.tif 000003
【図２】
2007189645.tif 000004
【図３】
2007189645.tif 000005
【図４】
2007189645.tif 000006
【図５】
2007189645.tif 000007
【図６】
2007189645.tif 000008